(57)【要約】      （修正有）【課題】土面以外の路面駐車場の白線引きや、白線の引きなおし幅が一定化されず、時間を要してしまう不具合の解消。【解決手段】二個の木製四角柱１にガムテープをはめ、それと平行して、その下段にステンレス棒２−ｂを付ける。上段のガムテープを、下段のステンレス棒に掛けることにより、一度に２本のガムテープが一定幅、確実に、片手で短時間に引けることとなる。また、白線の幅が変わっても、ガムテープを左右同じ目盛り動かすことで、自由にガムテープの養生を変えることができる。これらを備えるガムテープ養生補助具１０により、この課題を解決する。【選択図】図２
0003140686.tif 000002
【実用新案登録請求の範囲】
【請求項１】
土面以外の路面駐車場の白線引きや、白線の引きなおしを容易にする補助具として、引きたい白線の幅の両端に沿って、一度に２本のガムテープを回転させながら片手で貼り付けていくことができ、その白線の幅が変わっても、自由にガムテープの養生を変えることができることを特徴としたガムテープ養生補助具。
【考案の詳細な説明】
【技術の分野】
【０００１】  本考案は、土面以外の路面駐車場の白線引きや、白線の引きなおしが、一人で容易に片手でできるガムテープ養生補助具。
【背景技術】
【０００２】  従来の土面以外の路面駐車場の白線引きや、白線の引きなおしは、引きたい白線の幅を決め、白線の両端に一本づつガムテープを貼り付けて、その間を白塗装しています。
【考案の開示】
【考案が解決しようとする課題】
【０００３】  しかし、これでは最低でも二人以上の人手が必要で、一本づつガムテープを張るため、幅も一定に保つことがむずかしく、何回もやり直しをすることとなり、時間もかかります。
【課題を解決するための手段】
【０００４】  そこで、一定の幅を保つために、二個の木製四角柱の中心にステンレス棒を入れ、１０ｃｍの幅で固定する、この四角柱にすることで、ガムテープをはめても、ぶれずに固定され、また１０ｃｍの間隔にすることで、現在の路面駐車場の白線の一般的幅と一致する。【０００５】  二個の木製四角柱にはめるガムテープを、片方づつ、左右へ同じ目盛りだけ動かすことで、白線の幅が変わっても、自由にガムテープの養生を変えることができる。【０００６】  １０ｃｍの間隔で固定された二個の木製四角柱と平行して、その下段にステンレス棒をつけ，上段で付けたガムテープを掛けながら、路面に貼りつけていく。この下段のステンレス棒を付けることで、白線の幅が確実なものになる。
【考案の効果】
【０００７】  よって本考案のガムテープ養生補助具により、二本のガムテープが、一定の幅で、確実にひける。
【考案を実施するための最良の形態】
【０００８】  本考案にかかる、二個の木製四角柱１の中心にステンレス棒２−ａを入れ、それと平行して、その下段にステンレス棒２−ｂを、高さ２５ｃｍ、幅１０ｃｍ、厚さ２．５ｃｍの板３に取り付け、二個の木製四角柱の幅を１０ｃｍとする。この板３と平行に取手４を底板５に建て付ける。二個の木製四角柱１にガムテープをはめ、取手４を片手で持ち、引きながらガムテープを路面に貼り付けてゆく。
【図面の簡単な説明】
【０００９】
【図１】本考案にかかるガムテープ養生補助具
【図２】本考案にかかるガムテープ養生補助具の側面図
【符号の説明】
【００１０】１                二個の木製四角柱（ガムテープをはめる物）
２−ａ            四角柱の中心を通るステンレス棒
２−ｂ            平行したステンレス棒
３                板（高さ２５ｃｍ、幅１０ｃｍ、厚さ２．５ｃｍ）
４                取手
５                底板
１０              ガムテープ養生補助具
【図１】
0003140686.tif 000003
【図２】
0003140686.tif 000004
【手続補正書】
【提出日】平成19年8月25日(2007.8.25)
【手続補正１】
【補正対象書類名】実用新案登録請求の範囲
【補正対象項目名】全文
【補正方法】変更
【補正の内容】
【実用新案登録請求の範囲】
【請求項１】
土面以外の路面駐車場の白線引きや引き直しを、容易にする補助具として、片手で操作できることを特徴としたガムテープ養生補助具
【手続補正２】
【補正対象書類名】明細書
【補正対象項目名】０００４
【補正方法】変更
【補正の内容】
【０００４】  そこで、底板に垂直に板を建て、その縦板の横から上部・下部に、平行する２本のステンレス棒を通す。上部のステンレス棒にガムテープをはめるための２個の四角柱を１０ｃｍの幅で固定する。この木製四角柱にすることで、ガムテープをはめても、ぶれずに固定され、また１０ｃｍの間隔にすることで、現在の路面駐車場の白線の一般的幅と一致する。
【手続補正３】
【補正対象書類名】明細書
【補正対象項目名】０００８
【補正方法】変更
【補正の内容】
【０００８】  本考案にかかる、底板５に垂直に縦板３を立て、その縦板の横から上部２−ａ・下部２−ｂへステンレス棒を通し、上部ステンレス棒２−ａに２個の木製四角柱１を１０ｃｍの幅で固定する。この縦板３と平行に取手４を底板５に建て付ける。２個の木製四角柱１にガムテープをはめ、取手４を片手で持ち、引きながらガムテープを路面に貼り付けてゆく。
【手続補正４】
【補正対象書類名】明細書
【補正対象項目名】００１０
【補正方法】変更
【補正の内容】
【００１０】１            ２個の木製四角柱（ガムテープをはめるもの）
２−ａ        上部ステンレス棒
２−ｂ        下部ステンレス棒
３            縦板（高さ２５ｃｍ、幅１０ｃｍ、厚さ２，５ｃｍ）
４            取手
５            底板
１０          ガムテープ養生補助具
【手続補正書】
【提出日】平成19年12月6日(2007.12.6)
【手続補正１】
【補正対象書類名】実用新案登録請求の範囲
【補正対象項目名】全文
【補正方法】変更
【補正の内容】
【実用新案登録請求の範囲】
【請求項１】
土面以外の駐車場に於ける区画ラインを、容易に引くことができる補助具として、車輪の回転を利用しながら、一度に２本のガムテ−プを貼り付けていくことができるガムテ−プ養生補助具
【手続補正２】
【補正対象書類名】明細書
【補正対象項目名】０００４
【補正方法】変更
【補正の内容】
【０００４】  そこで、底板に垂直に板を建て、その縦板の横から上部・下部に、平行する２本のステンレス棒を通す。上部のステンレス棒にガムテープをはめるための２個の四角柱を１０ｃｍの幅で固定する。この木製四角柱にすることで、ガムテープをはめても、ぶれずに固定され、また１０ｃｍの間隔にすることで、現在の路面駐車場の白線の一般的幅と一致する。
又、下部のステンレス棒は、上部にはめたガムテ−プを路面に貼り付けていく際の、押さえの棒となる。
【手続補正３】
【補正対象書類名】明細書
【補正対象項目名】０００８
【補正方法】変更
【補正の内容】
【０００８】  本考案にかかる、底板５に垂直に縦板３を立て、その縦板の横から上部２−ａ・下部２−ｂへステンレス棒を通し、上部ステンレス棒２−ａに２個の木製四角柱１を１０ｃｍの幅で固定する。この縦板３と平行に取手４を底板５に建て付ける。２個の木製四角柱１にガムテープをはめ、下部のステンレス棒で押さえながら一度に２個のガムテ−プを路面に貼り付けていく。
【手続補正４】
【補正対象書類名】明細書
【補正対象項目名】０００９
【補正方法】変更
【補正の内容】
【０００９】
【図１】  本考案にかかるガムテ−プ養生補助具の前面図
【図２】  本考案にかかるガムテ−プ養生補助具の側面図
【手続補正５】
【補正対象書類名】図面
【補正対象項目名】全図
【補正方法】変更
【補正の内容】
【図１】
0003140686.tif 000005
【図２】
0003140686.tif 000006